(57)【要約】【課題】横架材を使用せずに設置することができる収納具を提供する。【解決手段】水平面内において交差する交差部分を中心として互いに相対的に回動可能に連結された第１梁部６および第２梁部７と、それぞれ床面（設置面）に立設するとともに第１梁部６および第２梁部７に連結された第１〜第４支柱部２〜５と、第１梁部６および第２梁部７に載置可能に構成され収納対象物を収納する収納部８と、を有する。収納部８は、第１梁部６に支持されるとともに第１梁部６の水平方向の位置を拘束するように第１梁部６と係合する第１係合部８３ａ，８３ｂと、第２梁部７に支持されるとともに第２梁部７の水平方向の位置を拘束するように第２梁部７と係合する第２係合部８４ａ，８４ｂと、を有する。【選択図】図２
2017221592.tif 000002
【特許請求の範囲】
【請求項１】
水平面内において交差する交差部分を中心として互いに相対的に回動可能に連結された第１梁部および第２梁部と、
それぞれ設置面に立設するとともに前記第１梁部および第２梁部に連結された支柱部と、
前記第１梁部および前記第２梁部に載置可能に構成され収納対象物を収納する収納部と、を有し、
前記収納部は、前記第１梁部に支持されるとともに該第１梁部の水平方向の位置を拘束するように該第１梁部と係合する第１係合部と、前記第２梁部に支持されるとともに該第２梁部の水平方向の位置を拘束するように該第２梁部と係合する第２係合部と、を有することを特徴とする収納具。
【請求項２】
前記収納部は、同一水平面内の異なる２つの位置にそれぞれ設けられた２つの前記第１係合部と、同一水平面内の異なる２つの位置にそれぞれ設けられた２つの前記第２係合部と、を有することを特徴とする請求項１に記載の収納具。
【請求項３】
２つの前記第１係合部のいずれか一方、および２つの前記第２係合部のいずれか一方は、それぞれを結ぶ第１直線に沿った所定の範囲に直線状に設けられ、
２つの前記第１係合部のいずれか他方、および２つの前記第２係合部のいずれか他方は、それぞれを結ぶ第２直線に沿った所定の範囲に直線状に設けられていることを特徴とする請求項２に記載の収納具。
【請求項４】
２つの前記第１係合部のいずれか一方と２つの前記第２係合部のいずれか一方とを結ぶ第１直線と、２つの前記第１係合部のいずれか他方と２つの前記第２係合部のいずれか他方とを結ぶ第２直線と、は平行であることを特徴とする請求項２または３に記載の収納具。
【請求項５】
２つの前記第１係合部、および２つの前記第２係合部は、それぞれ同じ高さに配置されることを特徴とする請求項２乃至４のいずれか一項に記載の収納具。
【請求項６】
前記収納部は、平面視形状が長方形に形成され、該長方形の一対の長辺の一方に沿って２つの前記第１係合部のいずれか一方、および２つの前記第２係合部のいずれか一方がそれぞれ設けられ、前記長方形の一対の長辺の他方に沿って２つの前記第１係合部のいずれか他方、および２つの前記第２係合部のいずれか他方がそれぞれ設けられていることを特徴とする請求項２乃至５のいずれか一項に記載の収納具。
【発明の詳細な説明】
【技術分野】
【０００１】
本発明は、折り畳み可能な収納具に関する。
【背景技術】
【０００２】
従来、水平面内で交差した状態に連結され相対的に回動可能に連結された一対の梁部と、一対の梁部のそれぞれの両端部に取り付けられて設置面に立設する支柱部と、一対の梁部に載置され収納対象物を収納可能な引き出しなどの収納部と、を有する収納具が知られている（例えば、特許文献１参照）。このような収納具は、一対の梁部の交差角を広げることで収納部を載置可能な状態とすることができ、閉じることで畳まれて保管や運搬がしやすい状態とすることができる。
【０００３】
また、このような収納具は、一対の梁部は相対的に回動可能に連結されているため、使用時に一対の梁部および一対の梁部に取り付けられた支柱部が回動して水平方向に移動しないように一対の梁部どうしまたは隣り合う支柱部どうしを所定の間隔で連結する横架材が設けられている。
【先行技術文献】
【特許文献】
【０００４】
【特許文献１】実用新案登録第３１５５４３３号公報
【発明の概要】
【発明が解決しようとする課題】
【０００５】
しかしながら、横架材を設けることにより、収納具の組み立てが煩雑になるとともに、重量が重くなり運搬や保管に手間がかかるという問題がある。
【０００６】
そこで本発明は、横架材を使用せずに設置することができる収納具を提供することを目的とする。
【課題を解決するための手段】
【０００７】
上記目的を達成するため、本発明に係る収納具は、水平面内において交差する交差部分を中心として互いに相対的に回動可能に連結された第１梁部および第２梁部と、それぞれ設置面に立設するとともに前記第１梁部および第２梁部に連結された支柱部と、前記第１梁部および前記第２梁部に載置可能に構成され収納対象物を収納する収納部と、を有し、  前記収納部は、前記第１梁部に支持されるとともに該第１梁部の水平方向の位置を拘束するように該第１梁部と係合する第１係合部と、前記第２梁部に支持されるとともに該第２梁部の水平方向の位置を拘束するように該第２梁部と係合する第２係合部と、を有することを特徴とする。
【０００８】
本発明では、収納部が第１係合部において第１梁部の水平方向の位置を拘束し、第２係合部において第２梁部の水平方向の位置を拘束していることにより、第１梁部と第２梁部とが相対的に回動することによる水平移動を拘束することができる。その結果、第１梁部と第２梁部とが相対的に回動することによる水平移動を拘束するための横架材を使用せずに収納具を設置することができる。
【０００９】
また、本発明に係る収納具では、前記収納部は、同一水平面内の異なる２つの位置にそれぞれ設けられた２つの前記第１係合部と、同一水平面内の異なる２つの位置にそれぞれ設けられた２つの前記第２係合部と、を有することが好ましい。
このような構成とすることにより、第１梁部および第２梁部がそれぞれ２ヶ所において収納部に水平方向の移動を拘束されるため、第１梁部と第２梁部とが相対的に回動することによる水平移動を確実に拘束することができる。
【００１０】
また、本発明に係る収納具では、２つの前記第１係合部のいずれか一方、および２つの前記第２係合部のいずれか一方は、それぞれを結ぶ第１直線に沿った所定の範囲に直線状に設けられ、２つの前記第１係合部のいずれか他方、および２つの前記第２係合部のいずれか他方は、それぞれを結ぶ第２直線に沿った所定の範囲に直線状に設けられていることが好ましい。
このような構成とすることにより、収納部のうちの収納対象物を収納する部分を、第１直線と第２直線との間に、第１係合部および第２係合部と干渉しないように広く設けることができる。
【００１１】
また、本発明に係る収納具では、２つの前記第１係合部のいずれか一方と２つの前記第２係合部のいずれか一方とを結ぶ第１直線と、２つの前記第１係合部のいずれか他方と２つの前記第２係合部のいずれか他方とを結ぶ第２直線と、は平行であることが好ましい。
このような構成とすることにより、収納部のうちの収納対象物を収納する部分を、平行となる第１直線と第２直線との内側に広く設けることができるとともに、平面視形状が長方形となる使い勝手の良い形状に形成することができる。
【００１２】
また、本発明に係る収納具では、２つの前記第１係合部、および２つの前記第２係合部は、それぞれ同じ高さに配置されることが好ましい。
このような構成とすることにより、第１梁部および第２梁部がそれぞれ同じ高さにおいて水平方向の移動が拘束されるため、第１梁部と第２梁部とが相対的に回動することによる水平移動を確実に拘束することができる。
【００１３】
また、本発明に係る収納具では、前記収納部は、平面視形状が長方形に形成され、該長方形の一対の長辺の一方に沿って２つの前記第１係合部のいずれか一方、および２つの前記第２係合部のいずれか一方がそれぞれ設けられ、前記長方形の一対の長辺の他方に沿って２つの前記第１係合部のいずれか他方、および２つの前記第２係合部のいずれか他方がそれぞれ設けられていることが好ましい。
このような構成とすることにより、収納部のうちの収納対象物を収納する部分を、長方形の内側に広く設けることができるとともに、使い勝手の良い形状に形成することができる。
【発明の効果】
【００１４】
本発明によれば、第１梁部と第２梁部が相対的に回動することによる水平移動を拘束するための横架材を使用せずに収納具を設置することができる。
【図面の簡単な説明】
【００１５】
【図１】本発明の実施形態による収納具の一例を示す斜視図である。
【図２】発明の実施形態による収納具を下側から見た斜視図である。
【図３】発明の実施形態による収納具を奥行き方向の一方側からから見た側面図である。
【図４】図３のＡ−Ａ線断面図である。
【図５】発明の実施形態による収納具を幅方向の一方側からから見た側面図である。
【図６】折り畳み時姿勢の第１梁部、第２梁部、および第１〜第４支柱部を示す図である。
【図７】収納部を下側から見た図である。
【図８】収納部を奥行き方向の一方側からから見た側面図である。
【図９】収納部を幅方向の一方側からから見た側面図である。
【発明を実施するための形態】
【００１６】
以下、本発明の実施形態による収納具について、図１乃至図９に基づいて説明する。
図１および図２に示すように、本実施形態による収納具１は、例えば脱衣かごなどに使用されるラックで、それぞれ床面１１（図１参照）に立設する４本の第１〜第４支柱部２〜５と、第１支柱部２および第４支柱部５に連結された第１梁部６と、第２支柱部３および第３支柱部４に連結された第２梁部７と、第１梁部６および第２梁部７の上に載置され衣類などの収納対象物を収納可能な収納部８と、を有している。
【００１７】
図１乃至図５に示すように第１〜第４支柱部２〜５は、それぞれ上下方向に直線状に延在する棒状の部材で、図３に示すように、平面視において長方形の４隅に配置されるように配列されている。この平面視における長方形の辺が延びる互いに直交する２方向を幅方向および奥行き方向とする。
第１〜第４支柱部２〜５は、第１支柱部２および第２支柱部３が幅方向の一方側、第３支柱部４および第４支柱部５が幅方向の他方側となるように配置されている。第１支柱部２および第２支柱部３は、第１支柱部２が奥行き方向の一方側、第２支柱部３が奥行き方向の他方側となるように配置されている。第３支柱部４および第４支柱部５は、第３支柱部４が奥行き方向の一方側、第４部が奥行き方向の他方側となるように配置されている。
【００１８】
本実施形態では、第１支柱部２および第４支柱部５に対して、それぞれの上部側および下部側にそれぞれ第１梁部６が連結され、第２支柱部３および第３支柱部４に対して、それぞれの上部側および下部側にそれぞれ第２梁部７が連結され、２つの第１梁部６および２つの第２梁部７が設けられている。そして、上側の第１梁部６および上側の第２梁部７の上と、下側の第１梁部および上側の第２梁部７上の２ヶ所にそれぞれ収納部８が載置されている。
第１〜第４支柱部２〜５の上部側に設けられる第１梁部６、第２梁部７および収納部８と、第１〜第４支柱部２〜５の下部側に設けられる第１梁部６、第２梁部７および収納部８とは、設けられる位置以外は同様に構成されている。このため、以下では、第１〜第４支柱部２〜５の上部側に設けられる第１梁部６、第２梁部７および収納部８いて説明し、第１〜第４支柱部２〜５の下部側に設けられる第１梁部６、第２梁部７および収納部８については説明を省略する。
【００１９】
第１梁部６は、棒状の部材で、延在方向の一方の端部６ａが第１支柱部２に連結され、他方の端部６ｂが第４支柱部５に連結されている。本実施形態では、第１梁部６は、丸棒状に形成されている。
第１梁部６は、延在方向の中間部に延在方向に間隔をあけて第１〜第４屈曲部６ｃ〜６ｆが形成されている。第１〜第４屈曲部６ｃ〜６ｆは、第１梁部６の一方の端部側から他方の端部側に向かって順番に形成されている。
第１梁部６は、第１〜第４屈曲部６ｃ〜６ｆ以外の部分はそれぞれ直線状に形成されている。第１梁部６のうち、一方の端部６ａと第１屈曲部６ｃとの間の部分を第１直線部６１、第１屈曲部６ｃと第２屈曲部６ｄとの間の部分を第２直線部６２、第２屈曲部６ｄと第３屈曲部６ｅとの間の部分を第３直線部６３、第３屈曲部６ｅと第４屈曲部６ｆとの間の部分を第４直線部６４、第４屈曲部６ｆと他方の端部６ｂとの間の部分を第５直線部６５とする。
【００２０】
第１直線部６１は、幅方向に延在している。第１直線部６１は、幅方向の一方の端部が第１梁部６の一方の端部６ａに相当し、第１支柱部２の上端部近傍に連結され、他方の端部が第１屈曲部６ｃと連続している。
【００２１】
第２直線部６２は、第１屈曲部６ｃと連続する一方の端部が第２屈曲部６ｄと連続する他方の端部よりも幅方向の一方側、奥行き方向の一方側、かつ上側に配置されている。このため、第２直線部６２は、第１屈曲部６ｃから第２屈曲部６ｄに向かって、幅方向の他方側に向かうに従って漸次奥行き方向の他方に向かうとともに下側に向かう方向に直線状に延びている。
【００２２】
第３直線部６３は、第２屈曲部６ｄと連続する一方の端部が第３屈曲部６ｅと連続する他方の端部よりも幅方向の一方側かつ奥行き方向の一方側に配置されている。第２屈曲部６ｄと第３屈曲部６ｅとは、同じ高さに配置されていて、第３直線部６３は水平方向に延在している。このため、第３直線部６３は、第２屈曲部６ｄから第３屈曲部６ｅに向かって、幅方向の他方側に向かうに従って漸次奥行き方向の他方側に向かう方向に直線状に延びている。
【００２３】
第４直線部６４は、第３屈曲部６ｅと連続する一方の端部が第４屈曲部６ｆと連続する他方の端部よりも幅方向の一方側、奥行きの方向一方側、かつ下側に配置されている。このため、第４直線部６４は、第３屈曲部６ｅから第４屈曲部６ｆに向かって、幅方向の他方側に向かうに従って漸次奥行き方向の他方に向かうとともに上側に向かう方向に直線状に延びている。
第５直線部６５は、幅方向に延在している。第５直線部６５は、幅方向の一方の端部が第４屈曲部６ｆと連続し、他方の端部が第１梁部６の他方の端部６ｂに相当し、第４支柱部５の上端部近傍に連結されている。
【００２４】
第１直線部６１と第５直線部６５とは、同じ長さに形成されるとともに同じ高さにおいて平行に配置されている。
第２直線部６２と第４直線部６４とは、同じ長さに形成されるとともに、それぞれの下端部どうしが同じ高さに配置されるとともにそれぞれの上端部どうしが同じ高さに配置されている。
第２直線部６２、第３直線部６３および第４直線部６４は、平面視において同一直線上に配置されている。
第３直線部６３の延在方向の中央部は、第１梁部６の長さ方向の中央部と一致している。第３直線部６３の延在方向の中央部には、後述する第２梁部７の第２連結部７６と連結される第１連結部６６が設けられている。
【００２５】
第２梁部７は、第１梁部６と配置される向きが異なるが、第１梁部６と同じ形状に形成されている。第２梁部７は、延在方向の一方の端部７ａが第２支柱部３に連結され、他方の端部７ｂが第３支柱部４に連結されている。
第２梁部７おいて、第１梁部６の第１〜第４屈曲部６ｃ〜６ｆ、および第１〜第５直線部６１〜６５に対応する部分を、それぞれ第１〜第４屈曲部７ｃ〜７ｆ、および第１〜第５直線部７１〜７５とする。
【００２６】
第１直線部７１は、幅方向に延在している。第１直線部７１は、幅方向の一方の端部が第１梁部６の一方の端部７ａに相当し、第２支柱部３の上端部近傍に連結され、他方の端部が第１屈曲部７ｃと連続している。
【００２７】
第２直線部７２は、第１屈曲部７ｃと連続する一方の端部が第２屈曲部７ｄと連続する他方の端部よりも幅方向の一方側、奥行き方向の他方側、かつ上側に配置されている。このため、第２直線部７２は、第１屈曲部７ｃから第２屈曲部７ｄに向かって、幅方向の他方側に向かうに従って漸次奥行き方向の一方に向かうとともに下側に向かう方向に直線状に延びている。
【００２８】
第３直線部７３は、第２屈曲部７ｄと連続する一方の端部が第３屈曲部７ｅと連続する他方の端部よりも幅方向の一方側かつ奥行き方向の他方側に配置されている。第２屈曲部７ｄと第３屈曲部７ｅとは、同じ高さに配置されていて、第３直線部７３は水平方向に延在している。このため、第３直線部７３は、第２屈曲部７ｄから第３屈曲部７ｅに向かって、幅方向の他方側に向かうに従って漸次奥行き方向の一方側に向かう方向に直線状に延びている。
【００２９】
第４直線部７４は、第３屈曲部７ｅと連続する一方の端部が第４屈曲部７ｆと連続する他方の端部よりも幅方向の一方側、奥行きの方向他方側、かつ下側に配置されている。このため、第４直線部７４は、第３屈曲部７ｅから第４屈曲部７ｆに向かって、幅方向の他方側に向かうに従って漸次奥行き方向の一方に向かうとともに上側に向かう方向に直線状に延びている。
第５直線部７５は、幅方向に延在している。第５直線部７５は、幅方向の一方の端部が第４屈曲部７ｆと連続し、他方の端部が第１梁部６の他方の端部７ｂに相当し、第３支柱部４の上端部近傍に連結されている。
【００３０】
第１直線部７１と第５直線部７５とは、同じ長さに形成されるとともに同じ高さにおいて平行に配置されている。
第２直線部７２と第４直線部７４とは、同じ長さに形成されるとともに、それぞれの下端部どうしが同じ高さに配置されるとともにそれぞれの上端部どうしが同じ高さに配置されている。
第２直線部７２、第３直線部７３および第４直線部７４は、平面視において同一直線上に配置されている。
第３直線部７３の延在方向の中央部は、第１梁部６の長さ方向の中央部と一致している。第３直線部７３の延在方向の中央部には、第１梁部６の第１連結部６６と連結される第２連結部７６が設けられている。
【００３１】
第１梁部６と第２梁部７とは、第１連結部６６と第２連結部７６とが上下に重なるようにして連結されている。第１連結部６６と第２連結部７６とは、ピンなどで連結されていて、第１連結部６６と第２連結部７６を通る鉛直軸線回りに相対的に回動可能に構成されている。
このため、第１梁部６と第２梁部７とは、それぞれの長さ方向の一方の端部６ａ，７ａどうし他方の端部６ｂ，７ｂどうしが近接した姿勢と、所定の角度で交差してそれぞれの長さ方向の一方の端部６ａ，７ａどうし他方の端部６ｂ，７ｂどうしが所定の間隔をあけて離間した姿勢に切り替えることができる。
本実施形態では、第１梁部６の第３直線部６３のうちの第１連結部６６が設けられている部分およびその近傍の下側と、第２梁部７の第３直線部７３のうちの第１連結部７６が設けられている部分およびその近傍の上側は平坦面となるように形成されている。第１梁部６の第３直線部６３の平坦な部分と第２梁部７の第３直線部７３の平坦な部分とは、重なって当接している。
【００３２】
本実施形態では、図１乃至図５に示すように、第１梁部６と第２梁部７とが所定の角度で交差し、第１梁部６の第１直線部６１と第２梁部７の第５直線部７５とが水平方向に延びる第１直線Ｌ１上に配置され、第１梁部６の第５直線部６５と第２梁部７の第１直線部７１が水平方向に延びる第２直線Ｌ２に配置された姿勢（使用時姿勢とする）となると、第１梁部６および第２梁部７の上に収納部８を載置可能な状態となる。第１直線Ｌ１と第２直線Ｌ２は、同じ高さに平行に配置されている。
これに対し、図６に示すように、第１梁部６と第２梁部７とが互いの第１直線部６１，７１どうしが近接し、互いの第５直線部６５，７５どうしが近接する姿勢（折り畳み時姿勢とする）となると、コンパクトに折り畳まれた状態となり、第１梁部６および第２梁部７の上に収納部８を載置できない状態となる。
第１〜第４支柱部２〜５は、第１梁部６および第２梁部７が回動すると、第１梁部６および第２梁部７とともに回動するように構成されている。
【００３３】
図７乃至図９に示すように、収納部８は、箱状に形成されていて、底部となる板状の底板部８１と、底板部８１の縁部から立ち上がる板状の側板部８２と、側板部８２に設けられて第１梁部６と係合する２つの第１係合部８３ａ，８３ｂと、側板部８２に設けられて第２梁部７と係合する２つの第２係合部８４ａ，８４ｂと、を有している。
底板部８１は、板面が長方形状に形成され、板面が水平面となる向きに配置されている。底板部８１の縁部のうち、幅方向にのびて奥行き方向の一方側に配置されている部分を第１縁部８１１とし、幅方向にのびて奥行き方向の他方側に配置されている部分を第２縁部８１２とし、奥行き方向に延びて幅方向の一方側に配置されている部分を第３縁部８１３とし、奥行き方向に延びて幅方向の他方側に配置されている部分を第４縁部８１４とする。
【００３４】
側板部８２は、底板部８１の第１縁部８１１と連続する第１側板部８２１と、底板部８１の第２縁部８１２と連続する第２側板部８２２と、底板部８１の第３縁部８１３と連続する第３側板部８２３と、底板部８１の第４縁部８１４と連続する第４側板部８２４と、有している。
【００３５】
第１側板部８２１は、底板部８１の第１縁部８１１の全体から奥行き方向の一方側に向かって漸次上側に向かう斜め方向に延びていて、板面が水平面および鉛直面に対して傾斜する傾斜板部８２１ａと、傾斜板部８２１ａの上縁部から奥行き方向の一方側に水平に延びる水平板部８２１ｂと、水平板部８２１ｂ奥行き方向の一方側の端部から下側に延びる鉛直板部８２１ｃと、を有している。
【００３６】
第１側板部８２１には、傾斜板部８２１ａの上部側と水平板部８２１ｂと鉛直板部８２１ｃとに囲まれて下側に開口し幅方向に延びる第１溝部８２１ｄが形成されている。図４に示すように、第１溝部８２１ｄは、内部に下側から第１梁部６の第１直線部６１および第２梁部７の第５直線部７５を挿入可能な形状に形成されている。
収納部８が使用時姿勢の第１梁部６および第２梁部７の上に載置されると、第１溝部８２１ｄの幅方向の一方側の端部近傍に第１梁部６の第１直線部６１が挿入され、第１溝部８２１ｄの幅方向の他方側の端部近傍に第２梁部７の第５直線部７５が挿入される。第１溝部８２１ｄのうち、第１梁部６の第１直線部６１が挿入される部分を第１係合部８３ａとし、第２梁部７の第５直線部７５が挿入される部分を第２係合部８４ａとする。
【００３７】
図７および図９に示すように、第２側板部８２２は、底板部８１の第２縁部８１２の全体から奥行き方向の他方側に向かって漸次上側に向かう斜め方向に延びていて、板面が水平面および鉛直面に対して傾斜する傾斜板部８２２ａと、傾斜板部８２２ａの上縁部から奥行き方向の一方側に水平に延びる水平板部８２２ｂと、水平板部８２２ｂ奥行き方向の一方側の端部から下側に延びる鉛直板部８２２ｃと、を有している。
【００３８】
第２側板部８２２には、傾斜板部８２２ａの上部側と水平板部８２２ｂと鉛直板部８２２ｃとに囲まれて下側に開口し幅方向に延びる第２溝部８２２ｄが形成されている。図４に示すように、第２溝部８２２ｄは、内部に下側から第１梁部６の第５直線部６５および第２梁部７の第１直線部７１を挿入可能な形状に形成されている。
収納部８が使用時姿勢の第１梁部６および第２梁部７の上に載置されると、第２溝部８２２ｄの幅方向の一方側の端部近傍に第２梁部７の第１直線部７１が挿入され、第２溝部８２２ｄの幅方向の他方側の端部近傍に第１梁部６の第５直線部６５が挿入される。第２溝部８２２ｄのうち、第１梁部６の第５直線部６５が挿入される部分を第１係合部８３ｂとし、第２梁部７の第１直線部７１が挿入される部分を第２係合部８４ｂとする。
収納部８が第１梁部６および第２梁部７の上に載置されると、第１側板部８２１の第１係合部８３ａ、第２係合部８４ａ、第２側板部８２２の第１係合部８３ｂ、第２係合部８４ｂは、同じ高さに配置される。
【００３９】
図７および図８に示すように、第３側板部８２３は、底板部８１の第３縁部８１３の奥行き方向の両端部近傍を除く中間部から上側に延びていて、板面が下側から上側に向かって幅方向の一方側にやや傾いた傾斜面となるように配置されている。
第４側板部８２４は、底板部８１の第４縁部８１４の奥行き方向の両端部近傍を除く中間部から略上側に延びていて、板面が下側から上側に向かって幅方向の他方側にやや傾いた傾斜面となるように配置されている。
【００４０】
図２乃至図５に示すように、このような収納部８は、使用時姿勢の第１梁部６及び第２梁部７の上に載置されると、底板部８１が、第１梁部６の第３直線部６３および第２梁部７の第３直線部７３の上に載置され、第１側板部８２１の傾斜板部８２１ａが第１梁部６の第２直線部６２および第２梁部７の第４直線部７４に沿って配置され、第２側板部８２２の傾斜板部８２２ａが第１梁部６の第４直線部６４および第２梁部７の第２直線部７２に沿って配置される。
そして、第１側板部８２１の第１溝部８２１ｄの第１係合部８３ａに第１梁部６の第１直線部６１が挿入され、第１側板部８２１の第１溝部８２１ｄの第２係合部８４ａに第２梁部７の第５直線部７５が配置され、第２側板部８２２の第２溝部８２２ｄの第１係合部８３ｂに第１梁部６の第５直線部６５が挿入され、第１側板部８２１の第２溝部８２２ｄ第２係合部８４ｂに第２梁部７の第１直線部７１が挿入される。
【００４１】
このように収納部８が使用時姿勢の第１梁部６及び第２梁部７の上に載置されることにより、第１梁部６の第１直線部６１および第２梁部７の第５直線部７５が、ともに第１溝部８２１ｄに沿って第１直線Ｌ１上に配置されるように拘束され、第１梁部６の第５直線部６５および第２梁部７の第１直線部７１が、第２溝部８２２ｄに沿って第２直線Ｌ２上に配置されるように拘束されて、第１梁部６と第２梁部７が相対的に回動しないように拘束される。
【００４２】
次に、上述した本実施形態による収納具１の作用・効果について図面を用いて説明する。
上述した本実施形態による収納具１では、収納部８が第１係合部８３ａ，８３ｂにおいて第１梁部６の水平方向の位置を拘束し、第２係合部８４ａ，８４ｂにおいて第２梁部７の水平方向の位置を拘束していることにより、第１梁部６と第２梁部７とが相対的に回動することによる水平移動を拘束することができる。その結果、第１梁部６と第２梁部７とが相対的に回動することによる水平移動を拘束するための横架材を使用せずに収納具１を設置することができる。
【００４３】
また、収納部８は、使用時状態の第１梁部６および第２梁部７の上に載置された際に、同一水平面内の異なる２つの位置にそれぞれ設けられた２つの第１係合部８３ａ，８３ｂと、同一水平面内の異なる２つの位置にそれぞれ設けられた２つの第２係合部８４ａ，８４ｂと、を有することにより、第１梁部６および第２梁部７がそれぞれ２ヶ所において収納部８水平方向の移動を拘束されるため、第１梁部６と第２梁部７とが相対的に回動することによる水平移動を確実に拘束することができる。
【００４４】
また、２つの第１係合部８３ａ，８３ｂ、および２つの第２係合部８４ａ，８４ｂは、それぞれ同じ高さに配置されることにより、第１梁部６および第２梁部７がそれぞれ同じ高さにおいて水平方向の移動が拘束されるため、第１梁部６と第２梁部７とが相対的に回動することによる水平移動を確実に拘束することができる。
【００４５】
また、第１梁部６の第１直線部６１および第２梁部７の第５直線部７５は、第１直線Ｌ１に沿って直線状に配置された状態で第１係合部８３ａおよび第２係合部８４ａに水平移動を拘束されている。第１梁部６の第５直線部６５および第２梁部７の第１直線部６１は、第１直線Ｌ１と同じ高さで平行に配置された第２直線Ｌ２に沿って直線状に配置された状態で第１係合部８３ｂおよび第２係合部８４ｂに水平移動を拘束されている。これにより、収納部８の内部（収納対象物を収納する部分）を、第１直線Ｌ１と第２直線Ｌ２との間に、第１係合部８３ａ，８３ｂおよび第２係合部８４ａ，８４ｂと干渉しないように広く設けることができる。
また、収納部８の平面視形状が長方形に形成され、長方形の一対の長辺に対応する第１直線Ｌ１と第２直線Ｌ２とが平行であることにより、収納部８の内部を平面視形状が長方形となる広くて使い勝手の良い形状に形成することができる。
【００４６】
以上、本発明による収納具の実施形態について説明したが、本発明は上記の実施形態に限定されるものではなく、その趣旨を逸脱しない範囲で適宜変更可能である。
例えば、上記の実施形態では、収納部８は、使用時状態の第１梁部６および第２梁部７の上に載置された際に、２つの第１係合部８３ａ，８３ｂと、第２係合部８４ａ，８４ｂとが同じ高さに配置されているが、異なる高さに配置されていてもよい。また、第１係合部および第２係合部が設けられる数は、それぞれ１つまたは３つ以上としてもよい。
【００４７】
また、上記の実施形態では、第１梁部６の第１直線部６１および第２梁部７の第５直線部７５は、第１直線Ｌ１に沿って直線状に配置された状態で第１係合部８３ａおよび第２係合部８４ａに水平移動を拘束されているが、同一直線に沿って直線状に配置されていなくてもよい。また、第１梁部６の第５直線部６５および第２梁部７の第１直線部６１は、第１直線Ｌ１と同じ高さで平行に配置された第２直線Ｌ２に沿って直線状に配置された状態で第１係合部８３ｂおよび第２係合部８４ｂに水平移動を拘束されているが、同一直線に沿って直線状に配置されていなくてもよい。
また、第１係合部８３ａ，８３ｂおよび第２係合部８４ａ，８４ｂが第１梁部６および第２梁部７と係合する形態は、適宜設定されてよい。
また、上記の実施形態では、第１直線Ｌ１と、第２直線Ｌ２と、は平行であるが、平行でなくてもよい。  
【００４８】
また、上記の実施形態では、収納部８は、平面視形状が長方形に形成され、長方形の一対の長辺の一方に沿って第１係合部８３ａおよび第２係合部８４ａが設けられ、長方形の一対の長辺の他方に沿って第１係合部８３ｂおよび第２係合部８４ｂが設けられているが、収納部８の形状や、第１係合部および第２係合部が設けられる位置は適宜設定されてよい。
また、上記の実施形態では、第１〜第４支柱部２〜５の上部側および下部側の２ヶ所にそれぞれ第１梁部６，第２梁部７および収納部８が設けられているが、第１〜第４支柱部２〜５に対して第１梁部６，第２梁部７および収納部８が１つまたは３つ以上設けられていてもよい。
また、上記の実施形態では、第１梁部６は第１〜第４屈曲部６ｃ〜６ｆが設けられ、第２梁部７は第１〜第４屈曲部７ｃ〜７ｆが設けられているが、屈曲部が設けられず直線状や曲線状に形成されていてもよい。このような場合、第１梁部６および第２梁部７の形状に合わせて第１係止部及び第２係止部を設けるものとする。
【００４９】
また、上記の実施形態では、４本の支柱部２〜５が設けられているが、支柱部の数は適宜設定されてよい。また、支柱部２〜５に対して第１梁部６および第２梁部７が連結される位置は適宜設定されてよい。
また、上記の実施形態では、第１〜第４支柱部２〜５が床面１１に立設しているが、第１〜第４支柱部２〜５の下にそれぞれ床面１１を走行可能なキャスターが設けられていて、キャスターを介して床面１１に立設していてもよい。
【符号の説明】
【００５０】
１  収納具
２  第１支柱部（支柱部）
３  第２支柱部（支柱部）
４  第３支柱部（支柱部）
５  第４支柱部（支柱部）
６  第１梁部
７  第２梁部
８  収納部
１１  床面（設置面）
８３ａ，８３ｂ  第１係合部
８４ａ，８４ｂ  第２係合部
【図１】
2017221592.tif 000003
【図２】
2017221592.tif 000004
【図３】
2017221592.tif 000005
【図４】
2017221592.tif 000006
【図５】
2017221592.tif 000007
【図６】
2017221592.tif 000008
【図７】
2017221592.tif 000009
【図８】
2017221592.tif 000010
【図９】
2017221592.tif 000011